(57)【要約】【課題】レンズ群の内側でガラスレンズを用いる場合であっても、部品点数を増やすことなくレンズの所定の面間距離を確保して所望の光学的性能を得ることができる、組み立て作業性の良いレンズユニットおよびカメラモジュールを提供する。【解決手段】本発明のレンズユニットは、複数のレンズ１３，１４，１５が光軸Ｏに沿って並べられて成るレンズ群Ｌと、このレンズ群Ｌを収容するための内側収容空間Ｓを有する鏡筒１２とを備える。鏡筒１２は、カシメられることによってレンズ群Ｌを構成する一対の隣り合うレンズ１４，１５同士の対向する面間を所定の距離Ｘに保つように一対のレンズのうちの一方のレンズ１４を保持して位置決めするカシメ保持部１２Ａを内側収容空間Ｓ側に有する。【選択図】図１
2019113744.tif 000002
【特許請求の範囲】
【請求項１】
複数のレンズが当該レンズの光軸に沿って並べられて成るレンズ群と、このレンズ群を収容するための内側収容空間を有する鏡筒とを備えるレンズユニットであって、
前記鏡筒は、カシメられることによって前記レンズ群を構成する一対の隣り合うレンズ同士の対向する面間を所定の距離に保つように前記一対のレンズのうちの一方を保持して位置決めするカシメ保持部を前記内側収容空間側に有することを特徴とするレンズユニット。
【請求項２】
前記鏡筒が樹脂製であり、前記カシメ保持部によって保持されるレンズがガラスレンズであることを特徴とする請求項１に記載のレンズユニット。
【請求項３】
前記カシメ保持部によって保持されるレンズが結像側へ向けて円弧状に突出する凸部を有し、前記カシメ保持部は、結像側から物体側へ向けて熱カシメされることによって前記凸部の平面部位に押し付けられて前記凸部の円弧状の曲面に沿うように前記レンズを保持することを特徴とする請求項２に記載のレンズユニット。
【請求項４】
前記レンズ群を構成するレンズと前記鏡筒との間に弾性的にシールするシール部材が介挿され、前記カシメ保持部は、前記シール部材の弾性的な反発力を光軸方向で支持することを特徴とする請求項１から３のいずれか一項に記載のレンズユニット。
【請求項５】
請求項１から４のいずれか一項に記載のレンズユニットを備えることを特徴とするカメラモジュール。
【発明の詳細な説明】
【技術分野】
【０００１】
本発明は、特に自動車等の車両に搭載される車載カメラを構成するレンズユニットおよびカメラモジュールに関する。
【背景技術】
【０００２】
近年、自動車に車載カメラを搭載し、駐車をサポートしたり、画像認識により衝突防止を図ったりすることが行なわれており、さらにそれを自動運転に応用する試みもなされている。また、このような車載カメラ等のカメラモジュールは、一般に、複数のレンズが光軸に沿って並べられて成るレンズ群と、このレンズ群を収容保持する鏡筒と、レンズ群の少なくとも一個所に配置される絞り部材とを有するレンズユニットを備える（例えば、特許文献１参照）。
【０００３】
図４には、従来のレンズユニット１００の一例が示されている。図示のように、このレンズユニット１００は、円筒状の樹脂製の鏡筒（バレル）１２０と、鏡筒１２０の内側収容空間Ｓ内に配置される複数のレンズ、例えば、最も物体側に位置されるガラス製の第１のレンズ１３０、ガラス製の第２のレンズ１４０、および、最も像側（結像側）に位置される樹脂製の第３のレンズ１５０とを備える。鏡筒１２に固定されて支持される複数のレンズ１３０，１４０，１５０は、それぞれの光軸を一致させた状態で配置されており、１つの光軸Ｏに沿って並べられることにより、フィルタ９０を介したパッケージセンサ（撮像素子）３０４による撮像に用いられる一群のレンズ群Ｌを構成している。
【先行技術文献】
【特許文献】
【０００４】
【特許文献１】特開２０１３−２３１９９３号公報
【発明の概要】
【発明が解決しようとする課題】
【０００５】
ところで、このように鏡筒１２０内に複数のレンズ１３０，１４０，１５０を積み重ねて成るレンズユニット１００では、レンズの少なくとも一部がガラスレンズである場合、特にレンズ群Ｌの内側でガラスレンズを用いる場合、レンズ自体の直接的な積み重ねだけで所望の光学的性能（光学特性）を得ることが難しい。これは、ガラスレンズの形状自由度（ガラスレンズを加工して得ることができる形状の自由度）が樹脂レンズのそれと比べて低く、所望のレンズ積み重ね形態を実現し得る形状にガラスレンズを形成することが難しいからである。特に、隣り合うレンズの互いに対向する面同士の距離（面間距離）を所定の寸法に正確に保持すべき場合、レンズ自体の積み重ねだけでそのような面間距離を高精度に得ることは極めて難しい。
【０００６】
そのため、一般的には、所定の面間距離を保持すべきレンズ同士の間にスペーサ（中間管）を介在させて、所定の面間距離を保つようにしている。例えば、図４に示すようなレンズユニット形態では、第２のレンズ１４０と第３のレンズ１５０との間に樹脂製のスペーサ１７０を介挿して、第２のレンズ１４０と第３のレンズ１５０との間を所定の面間距離Ｘに維持するようにする。
【０００７】
しかしながら、このようなスペーサ１７０をレンズ１４０，１５０間に介在させると、幾つかの問題が生じる。例えば、スペーサ１７０を設けた分だけ部品点数が増えることから、製造コストが嵩むだけでなく、各部品の寸法公差の累積によって面間距離Ｘを含む各種パラメータがばらつき、光学的性能に悪影響を及ぼす可能性がある。
【０００８】
また、例えば図４に示すように鏡筒１２０と第１のレンズ１３０との間に気密保持用のＯリング１６０が介挿される場合には、このＯリング１６０の弾性的な反発力Ｆによって第１のレンズ１３０およびこれに隣接する第２のレンズ１４０が像側（センサ３０４側）へ浮いてくる（付勢される）ため、スペーサ１７０をレンズ１４０，１５０に接着固定するケースでは、接着剤が固まるまでの間、スペーサ１７０の位置を保持しておかなければならず、組み立て作業性が悪い。
【０００９】
更に、スペーサ１７０をレンズ１４０，１５０間に介在させる場合には、スペーサ１７０を支持するための支持面を形成するフランジ１４０ａ，１５０ａをこれらのレンズ１４０，１５０の外周部に加工して設ける必要があり、その分、製造工程が増え、製造コストが増大することになる。
【００１０】
本発明は、前記事情に鑑みてなされたものであり、レンズ群の内側でガラスレンズを用いる場合であっても、部品点数を増やすことなくレンズの所定の面間距離を確保して所望の光学的性能を得ることができる、組み立て作業性の良いレンズユニットおよびカメラモジュールを提供することを目的とする。
【課題を解決するための手段】
【００１１】
前記課題を解決するために、本発明は、複数のレンズが当該レンズの光軸に沿って並べられて成るレンズ群と、このレンズ群を収容するための内側収容空間を有する鏡筒とを備えるレンズユニットであって、
前記鏡筒は、カシメられることによって前記レンズ群を構成する一対の隣り合うレンズ同士の対向する面間を所定の距離に保つように前記一対のレンズのうちの一方を保持して位置決めするカシメ保持部を前記内側収容空間側に有することを特徴とする。
【００１２】
本発明においては、一対の隣り合うレンズ同士の対向する面間を所定の距離に保つために、スペーサ等の別個の部品を使用せず、鏡筒自体、すなわち、鏡筒のカシメ保持部を使用するため、部品点数を増やすことなくレンズの所定の面間距離を確保して所望の光学的性能を得ることができる。したがって、部品点数を増やさない分、製造コストを抑えることも可能であり、組み立て作業性が良くなるとともに、各部品の寸法公差の累積によって面間距離を含む各種パラメータがばらついて光学的性能に悪影響が及ぶといった事態も回避できる。これは、特に、形状自由度が低く所望のレンズ積み重ね形態を実現し得る形状に形成することが難しいガラスレンズをレンズ群の内側で用いる場合に有益である。
【００１３】
また、このように、スペーサ等の別個の部品の使用を排除すれば、図４に関連して前述したようなスペーサを支持するための支持面を形成するフランジ等の支持部をレンズに加工して設ける必要もなくなるため、その分、製造工程を減らして、製造コストを低減することもできる。
【００１４】
なお、上記構成において、鏡筒に設けられるカシメ保持部の数は１つに限らない。レンズ積み重ね形態に応じて複数のカシメ保持部を鏡筒に設けることができる。また、その場合、各カシメ保持部のカシメ方向も任意に設定できる。また、上記構成において、「所定の距離」はゼロ（レンズの対向面同士が当接している状態）も含む。また、レンズ群を構成するレンズの数、形状、および、その配置形態も任意に設定できる。
【００１５】
また、本発明の上記構成においては、鏡筒が樹脂製であり、カシメ保持部によって保持されるレンズがガラスレンズであることが好ましい。このように、鏡筒、したがってカシメ保持部を樹脂によって形成すれば、カシメ保持部のカシメがし易くなり、また、カシメ保持部によって保持されるレンズを樹脂レンズではなくガラスレンズとすることにより、特に熱カシメによってカシメ保持部をカシメる場合に、その熱的な影響をレンズが受け難いため、有益である。
【００１６】
また、本発明の上記構成においては、カシメ保持部によって保持されるレンズが結像側へ向けて円弧状に突出する凸部を有し、カシメ保持部は、結像側から物体側へ向けて熱カシメされることによって凸部の平面部位に押し付けられて凸部の円弧状の曲面に沿うようにレンズを保持することが好ましい。このような構成によれば、カシメ保持部による保持力を高めてレンズを精度良く位置決めすることができる。これは、特に、物体側をレンズの組み込み基準面としてレンズを順に鏡筒に対して組み込んで結像側からカシメ保持部をカシメる組み立て形態において有益である。
【００１７】
また、本発明の上記構成においては、レンズ群を構成するレンズと鏡筒との間に弾性的にシールするシール部材（例えばＯリング）が介挿され、カシメ保持部がシール部材の弾性的な反発力を光軸方向で支持することが好ましい。このような構成によれば、図４に関連して前述したようにスペーサ接着固定用の接着剤が固まるまでシール部材の弾性的な反発力に抗してスペーサの位置を保持しておかなければならないといった組み立て作業性の悪さを解消できる。
【００１８】
また、本発明に係るカメラモジュールは、前記レンズユニットを備えていることを特徴とする。  
このような構成によれば、前述のレンズユニットの作用効果をカメラモジュールで得ることができる。
【発明の効果】
【００１９】
本発明のレンズユニットおよびカメラモジュールによれば、レンズ群の内側でガラスレンズを用いる場合であっても、部品点数を増やすことなくレンズの所定の面間距離を確保して所望の光学的性能を得ることができとともに、良好な組み立て作業性を実現できる。
【図面の簡単な説明】
【００２０】
【図１】本発明の一実施の形態に係るレンズユニットの概略断面図である。
【図２】図１の鏡筒のカシメ保持部をカシメユニットによってカシメようとする状態を示す概略断面図である。
【図３】図１のレンズユニットを備えるカメラモジュールの概略断面図である。
【図４】従来のレンズユニットの概略断面図である。
【発明を実施するための形態】
【００２１】
以下、図面を参照しながら本発明の実施の形態について説明する。
【００２２】
なお、以下で説明される本実施の形態のレンズユニットは、特に車載カメラ等のカメラモジュールに適用でき、例えば、車の室内に設置されてドライバーの顔（瞳など）を認識することによりドライバーが居眠りしているか否か等を判別するためのドライバーモニタカメラにおいて赤外領域で使用されるのに適しているとともに、例えば自動車の外表面側に固定して設置され、配線は自動車内に引き込まれてディスプレイやその他の装置に接続される。また、図１〜図３において複数のレンズについてはハッチングを省略している（前述した図４も同様）。
【００２３】
図１は、本発明の一実施の形態に係るレンズユニット１を示している。図示のように、本実施の形態のレンズユニット１は、樹脂製の円筒状の鏡筒（バレル）１２と、鏡筒１２の段付きの内側収容空間Ｓ内に配置される複数のレンズ、例えば、第１のレンズ１３、第２のレンズ１４、および、第３のレンズ１５から成る３つのレンズと、図示しない絞り部材とを備える。この場合、最も物体側に位置される第１のレンズ１３はガラスレンズであり、最も結像側に位置される第３のレンズ１５は樹脂製のレンズであり、第１のレンズ１３と第３のレンズ１５との間に位置される第２のレンズ１４はガラスレンズであるが、これに限定されない。また、これらのレンズ１３，１４，１５の表面には、必要に応じて、反射防止膜、親水膜、撥水膜等が設けられる。前記絞り部材は、透過光量を制限し、明るさの指標となるＦ値を決定する「開口絞り」またはゴーストの原因となる光線や収差の原因となる光線を遮光する「遮光絞り」である。このようなレンズユニット１を備える車載カメラは、レンズユニット１と、図示しないイメージセンサを有する基板と、当該基板を自動車等の車両に設置する図示しない設置部材とを備えるものである。
【００２４】
このように鏡筒１２に固定されて支持される複数のレンズ１３，１４，１５は、それぞれの光軸を一致させた状態で配置されており、１つの光軸Ｏに沿って並べられることにより撮像に用いられる一群のレンズ群Ｌを構成している。なお、鏡筒１２の結像側の外周面には、鏡筒１２を車載カメラに設置する際に用いられる外側フランジ部２５が鍔状に設けられる。
【００２５】
ここで、鏡筒１２に対する各レンズ１３，１４，１５の組み込み状態について説明する。レンズ群Ｌを構成するこれらのレンズ１３，１４，１５は、バンドパスフィルタ９０が位置されるべき結像側から順に鏡筒１２内に組み込まれる。具体的には、鏡筒１２の物体側に位置される内面部位に設けられる第１の段差部１２ａを形成する端面１２ａａをレンズ組み込み基準面として各レンズ１３，１４，１５が順に鏡筒１２内に組み込まれる。この場合、最初に鏡筒１２内に組み込まれる第１のレンズ１３は、物体側（図１の上側）と対向するその面に、光軸Ｏ方向に沿って物体側へ向けて突出する径方向内側の凸部１３ａと、レンズ組み込み基準面１２ａａと当接する径方向外側の略平面状の第１の当接部１３ｂとを有する。また、第１のレンズ１３は、結像側（図１の下側）と対向するその面に、光軸Ｏ方向に沿って物体側へ向けて凹む径方向内側の凹部１３ｃと、第２のレンズ１４と当接する略平面状の径方向外側の第２の当接部１３ｄとを有する。
【００２６】
また、この第１のレンズ１３は、その第１の当接部１３ｂが鏡筒１２のレンズ組み込み基準面１２ａａに当接された図１の組み込み状態で、その外周側面１３ｅと鏡筒１２との間に弾性的にシールするシール部材としてのＯリング１９が介挿される。このＯリング１９は、第２の当接部１３ｄによって形成される第１のレンズ１３のフランジ部１３ｆによって像側から支持されるように第１のレンズ１３と鏡筒１２との間に介挿され、第１のレンズ１３の外周側面１３ｅと鏡筒１２の内周面との間を鏡筒１２の物体側端部で封止した状態にする。これにより、レンズユニット１１の物体側の端部から鏡筒１２内に水や塵埃等の微粒子が浸入することが防止される。
【００２７】
２番目に鏡筒１２内に組み込まれる第２のレンズ１４は、物体側と対向するその面に、光軸Ｏ方向に沿って結像側へ向けて凹む径方向内側の凹部１４ａと、第１のレンズ１３の第２の当接部１３ｄと当接する径方向外側の略平面状の当接部１４ｂとを有する。また、第２のレンズ１４は、結像側と対向するその面が、光軸Ｏ方向に沿って結像側へ向けて円弧状に突出する凸部１４ｃとして形成される。この第２のレンズ１４は、以下で更に詳しく説明する鏡筒１２のカシメ保持部１２Ａにより保持されることにより、それが当接する第１のレンズ１３と一体で鏡筒１２内の所定の位置に位置決め状態で組み付け支持され、また、カシメ保持部１２Ａのカシメ保持力によってＯリング１９が押し潰されることによって所望の封止状態（気密状態）が確保される。
【００２８】
最後に鏡筒１２内に組み込まれる第３のレンズ１５は、物体側と対向するその面に、光軸Ｏ方向に沿って物体側へ向けて円弧状に突出する径方向内側の凸部１５ａと、鏡筒１２の結像側に位置される内面部位に設けられる第２の段差部１２ｂを形成する端面１２ｂａと当接する径方向外側の略平面状の第１の当接部１５ｂとを有する。また、第３のレンズ１５は、結像側と対向するその面に、光軸Ｏ方向に沿って物体側へ向けて凹む径方向内側の凹部１５ｃと、鏡筒１２に一体的に取着されるストッパ３０と当接する略平面状の径方向外側の第２の当接部１５ｄとを有する。この場合、ストッパ３０は、バンドパスフィルタ９０を保持する保持部３０ａを有する。なお、第１の当接部１５ｂおよび第２の当接部１５ｄは、第３のレンズ１５の外周部のフランジ１５ｅを形成している。
【００２９】
このように、レンズ群Ｌは、以上のような各レンズ１３，１４，１５の隣接するレンズに対する当接及び鏡筒１２又はストッパ３０に対する当接と、カシメ保持部１２Ａのカシメ保持とによって所定の位置に正確に位置決めされ、それにより、第２のレンズ１４と第３のレンズ１５との間の面間距離が所定の距離Ｘに正確に保たれるようになる。
【００３０】
ここで、第２のレンズ１４を保持する鏡筒１２のカシメ保持部１２Ａは、それ自体がカシメられることによってレンズ群Ｌを構成する一対の隣り合うレンズ１４，１５同士の対向する面間（具体的には、本実施形態では、凸部１４ｃの頂点と凸部１５ａの頂点との間の距離）を所定の距離Ｘに保つように一対のレンズ１４，１５のうちの一方のレンズ１４を保持して位置決めするべく鏡筒１２の内側収容空間Ｓ側に設けられる。特に、本実施形態において、カシメ保持部１２Ａは、先細り形状を成しており、結像側から物体側へ向けて熱カシメされることによって第２のレンズ１４の円弧状の凸部１４ｃのテーパ状に面取りされた平面部位（あるいは非球面部位）１４ｄに押し付けられて凸部１４ｃの円弧状の曲面に沿うように第２のレンズ１４を保持するようになっている。この場合、光軸Ｏに対する平面部位１４ｄの傾斜角度（カシメ保持部１２Ａのカシメ角度）は、無理のない適度なカシメ量を実現できるように２０°〜４５°であることが好ましい。傾斜角度が２０°を下回ると、カシメ保持力が低下して衝撃等により第２のレンズ１４が脱落する可能性があり、一方、傾斜角度が４５°を上回ると、過カシメ状態によりバリの発生が懸念される。
【００３１】
また、このようなカシメ保持部１２Ａは、第１のレンズ１３と鏡筒１２との間に介挿されたＯリング１９の弾性的な反発力を光軸方向で支持するようになっている。すなわち、カシメ保持部１２Ａは、第２のレンズ１４をカシメ保持する機能と、Ｏリング１９の弾性的な反発力を支持する機能とを同時に兼ね備えている。
【００３２】
図２には、カシメ保持部１２Ａを結像側からカシメるためのカシメユニットＵが示されている。図示のように、カシメユニットＵは、レンズユニット１をその物体側が下側となるように逆さに支持する支持部５５と、結像側（図２では上側）からカシメ保持部１２Ａをカシメるためのカシメヘッド５４と、カシメ保持される第２のレンズ１４をスプリング５０の付勢力によって押さえて所定の位置に位置決め保持するためのレンズ押さえ５２とを有する。カシメヘッド５４およびレンズ押さえ５２は、結像側から鏡筒１２内に挿入されることにより、カシメ保持部１２Ａおよび第２のレンズ１４にそれぞれ押し当てられる。また、カシメヘッド５４は、加熱されることにより、樹脂製のカシメ保持部１２Ａを熱変形させて所定量分だけカシメる。
【００３３】
また、図３は、以上のような構成を成すレンズユニット１を有する本実施の形態のカメラモジュール３００の概略断面図である。図示のように、このカメラモジュール３００は、バンドパスフィルタ９０が装着された図１のレンズユニット１を含んで構成されている。
【００３４】
カメラモジュール３００は、レンズユニット１を保持するマウント（センサホルダ）３０２を備えている。マウント３０２の内部にはパッケージセンサ（撮像素子）３０４が配置されており、パッケージセンサ（撮像素子）３０４は、レンズユニット１により形成される物体の像を受光する位置に配置されている。また、パッケージセンサ３０４は、ＣＣＤやＣＭＯＳ等を備えており、レンズユニット１を通じて集光されて到達する光を電気信号に変換する。変換された電気信号は、カメラにより撮影された画像データの構成要素であるアナログデータやデジタルデータに変換される。
【００３５】
特に、本実施形態では、マウント３０２が鏡筒１２に対して直接に接着されるアクティブアライメント方式が採用されている。具体的には、鏡筒１２の外側フランジ部２５でマウント３０２と鏡筒１２とが接着剤３１０によって接着される。
【００３６】
以上説明したように、本実施の形態によれば、一対の隣り合うレンズ１４，１５同士の対向する面間を所定の距離Ｘに保つために、スペーサ等の別個の部品を使用せず、鏡筒１２自体、すなわち、鏡筒１２のカシメ保持部１２Ａを使用するため、部品点数を増やすことなくレンズの所定の面間距離を確保して所望の光学的性能を得ることができる。したがって、部品点数を増やさない分、製造コストを抑えることも可能であり、組み立て作業性が良くなるとともに、各部品の寸法公差の累積によって面間距離を含む各種パラメータがばらついて光学的性能に悪影響が及ぶといった事態も回避できる。これは、特に、本実施の形態のように形状自由度が低く所望のレンズ積み重ね形態を実現し得る形状に形成することが難しいガラスレンズをレンズ群Ｌの内側で用いる場合に有益である。
【００３７】
また、このように、スペーサ等の別個の部品の使用を排除すれば、図４に関連して前述したようなスペーサを支持するための支持面を形成するフランジ等の支持部をレンズに加工して設ける必要もなくなるため、その分、製造工程を減らして、製造コストを低減することもできる。
【００３８】
また、本実施の形態によれば、鏡筒１２、したがってカシメ保持部１２Ａが樹脂によって形成されているため、カシメ保持部１２Ａのカシメを例えば熱カシメによって障害無く容易に行なうことができ、また、カシメ保持部１２Ａによって保持される第２のレンズ１４を樹脂レンズではなくガラスレンズとしているため、特に本実施の形態のように熱カシメによってカシメ保持部１２Ａをカシメる場合に、その熱的な影響を第２のレンズ１４が受け難い。
【００３９】
また、本実施の形態においては、カシメ保持部１２Ａによって保持される第２のレンズ１４が結像側へ向けて円弧状に突出する凸部１４ｃを有し、カシメ保持部１２Ａは、結像側から物体側へ向けて熱カシメされることによって凸部１４ｃの平面部位１４ｄに押し付けられて凸部１４ｃの円弧状の曲面に沿うように第２のレンズ１４を保持するため、カシメ保持部１２Ａによる保持力を高めて第２のレンズ１４を精度良く位置決めすることができる。これは、特に、本実施の形態のように物体側をレンズの組み込み基準面としてレンズ１３，１４，１５を順に鏡筒１２に対して組み込んで結像側からカシメ保持部１２Ａをカシメる組み立て形態において有益である。
【００４０】
また、本実施の形態においては、レンズ群Ｌを構成する第１のレンズ１３と鏡筒１２との間に弾性的にシールするシール部材としてＯリング１９が介挿され、カシメ保持部１２ＡがＯリング１９の弾性的な反発力を光軸方向で支持するようになっているため、図４に関連して前述したようにスペーサ接着固定用の接着剤が固まるまでＯリングの弾性的な反発力に抗してスペーサの位置を保持しておかなければならないといった組み立て作業性の悪さを解消できる。
【００４１】
なお、本発明は、前述した実施の形態に限定されず、その要旨を逸脱しない範囲で種々変形して実施できる。例えば、本発明において、レンズ、鏡筒などの形状は、前述した実施の形態に限定されない。また、前述した実施の形態では、カシメ保持部１２Ａにより保持される第２のレンズ１４がガラスレンズであったが、樹脂製のレンズであっても構わない。また、前述した実施の形態では、鏡筒１２が樹脂製であったが、金属製であっても構わない。しかしながら、カシメ保持部１２Ａのカシメ作業性および熱カシメ時の熱的影響を考えると、鏡筒１２が樹脂製であるとともに、カシメ保持部１２Ａにより保持される第２のレンズ１４がガラスレンズであることが好ましい。また、本発明において、鏡筒に設けられるカシメ保持部の数は１つに限らない。レンズ積み重ね形態に応じて複数のカシメ保持部を鏡筒に設けることができる。また、その場合、各カシメ保持部のカシメ方向も任意に設定できる。
【符号の説明】
【００４２】
１  レンズユニット
１２  鏡筒
１２Ａ  カシメ保持部
１３，１４，１５  レンズ
１４ｃ  凸部
１４ｄ  平面部位
１９  Ｏリング（シール部材）
３００  カメラモジュール
Ｏ  光軸
Ｓ  内側収容空間
【図１】
2019113744.tif 000003
【図２】
2019113744.tif 000004
【図３】
2019113744.tif 000005
【図４】
2019113744.tif 000006